(57)【要約】【課題】インスタントメッセンジャーなどのダイアログボックスに入力または掲示されたコンテンツに対応するキーワードを関連対話から抽出し、該当キーワードに関連した情報（広告など）を提供するためのコンテンツ対応情報提供サービスを開示する。【解決手段】本発明のコンテンツ対応情報提供装置は、ユーザー端末によって形成された一つ以上のダイアログボックスにコンテンツが掲示されると、前記コンテンツの掲示前または後に入力された一つ以上の文章から単語を抽出するキーワード抽出部と、前記単語関連情報を前記コンテンツのメタデータとして設定するメタデータ設定部と、前記メタデータを前記コンテンツに対応させて格納するデータベースとを含んでなる。【選択図】図５
2016091538.tif 000002
【特許請求の範囲】
【請求項１】
ユーザー端末によって形成された一つ以上のダイアログボックスにコンテンツが掲示されると、前記コンテンツの掲示前または後に入力された一つ以上の文章から単語を抽出するキーワード抽出部と、
単語関連情報を前記コンテンツのメタデータとして設定するメタデータ設定部と、
前記メタデータを前記コンテンツに対応させて格納するデータベースを含むことを特徴とする、コンテンツ対応情報提供装置。
【請求項２】
前記コンテンツはイメージ、動画像および音声ファイルのいずれか一つであることを特徴とする、請求項１に記載のコンテンツ対応情報提供装置。
【請求項３】
前記単語関連情報は前記抽出された単語自体または前記単語に関連する概念であることを特徴とする、請求項１または２に記載のコンテンツ対応情報提供装置。
【請求項４】
前記キーワード抽出部は、前記コンテンツの掲示時点を基準として前記基準以前または以後の設定された時間の範囲内で入力された一つ以上の文章から前記単語を抽出することを特徴とする、請求項１乃至３のいずれか一項に記載のコンテンツ対応情報提供装置。
【請求項５】
前記キーワード抽出部は、前記コンテンツの掲示位置を基準として前記基準以前または以後の設定された位置範囲内で入力された一つ以上の文章から前記単語を抽出することを特徴とする、請求項１乃至４のいずれか一項に記載のコンテンツ対応情報提供装置。
【請求項６】
前記キーワード抽出部は、前記コンテンツの掲示以前または以後に入力された文章から文脈を抽出し、前記掲示以前または以後の設定された範囲の段落範囲内で入力された一つ以上の文章から前記単語を抽出することを特徴とする、請求項１乃至５のいずれか一項に記載のコンテンツ対応情報提供装置。
【請求項７】
前記メタデータ設定部は、前記一つ以上のダイアログボックスに入力された所定の範囲の対話内で前記単語が使用される頻度が、設定された基準以上である場合、前記単語関連情報をコンテンツのメタデータとして設定することを特徴とする、請求項１乃至６のいずれか一項に記載のコンテンツ対応情報提供装置。
【請求項８】
前記ダイアログボックスまたは別のダイアログボックスに前記コンテンツまたは関連コンテンツが掲示されると、前記メタデータに関連する情報を提供する情報提供部を含むことを特徴とする、請求項１乃至７のいずれか一項に記載のコンテンツ対応情報提供装置。
【請求項９】
前記メタデータは、複数個であり、
前記情報提供部は、前記コンテンツが掲示されると、前記複数のメタデータを前記ユーザー端末へ提供し、前記ユーザーによって選択されたメタデータに関連する情報を前記ユーザー端末へ提供することを特徴とする、請求項８に記載のコンテンツ対応情報提供装置。
【請求項１０】
前記メタデータ関連情報は、テキスト広告、イメージ広告、インターネットリンク、動画像広告および商品情報のうちの少なくとも一つを含むことを特徴とする、請求項８または９に記載のコンテンツ対応情報提供装置。
【請求項１１】
前記情報提供部は、前記ユーザー端末から前記コンテンツに対する選択を受信すると、前記情報の提供を前記ユーザーが要求することができるようにするメニューを前記コンテンツに関連して表示するようにすることを特徴とする、請求項８乃至１０のいずれか一項に記載のコンテンツ対応情報提供装置。
【請求項１２】
前記情報提供部は、前記ユーザー端末から前記メニューに対する選択を受信すると、前記メタデータを示すキーワード選択メニューを表示し、前記ユーザー端末から前記キーワード選択メニューを介した選択を受信すると、前記選択されたキーワードに関連する１つ以上の情報を提供することを特徴とする、請求項１１に記載のコンテンツ対応情報提供装置。
【請求項１３】
ユーザー端末によって形成された一つ以上のダイアログボックスにコンテンツが掲示されると、前記コンテンツの掲示前または後に入力された一つ以上の文章から単語を抽出し、
単語関連情報を前記コンテンツのメタデータとして設定し、
前記メタデータを前記コンテンツに対応させて格納することを含むことを特徴とする、コンテンツ対応情報提供方法。
【請求項１４】
ユーザー端末によって形成された一つ以上のダイアログボックスにコンテンツが掲示されると、前記コンテンツの掲示前または後に入力された一つ以上の文章から単語を抽出し、
単語関連情報を前記コンテンツのメタデータとして設定し、
前記メタデータを前記コンテンツに対応させて格納することを実行させるためのコンピュータプログラム。
【発明の詳細な説明】
【技術分野】
【０００１】
本発明は、ダイアログボックスに入力または掲示されたコンテンツに対応する情報を提供するための装置および方法に関する。より詳しくは、インスタントメッセンジャーなどのダイアログボックスに入力または掲示されたコンテンツに対応するキーワードを関連対話から抽出し、該当キーワードに関連した情報（広告など）を提供するためのコンテンツ対応情報提供サービスに関する。
【背景技術】
【０００２】
有線又は無線を使ってのインターネットの発展、ＰＣの普及およびスマート機器の利用が急増するにつれて、ＨＴＭＬ（Ｈｙｐｅｒ Ｔｅｘｔ Ｍａｒｋｕｐ Ｌａｎｇｕａｇｅ）やモバイル言語（例えば、Ｊａｖａ（登録商標）またはＣ言語）などをベースにする様々なＷｅｂアプリケーション（ｗｅｂａｐｐｌｉｃａｔｉｏｎ）が開発、登場することになり、サイバー空間（ｃｙｂｅｒｓｐａｃｅ）で様々な形態のインスタントメッセンジャー（ｉｎｓｔａｎｔ ｍｅｓｓｅｎｇｅｒ）サービスが提供されている。
【０００３】
このようなインスタントメッセンジャーサービスを介して、有線・無線を問わず、デスクトップコンピュータのユーザー間、移動通信端末間、または移動通信端末とデスクトップコンピュータとの間でインスタントメッセンジャーを介した円滑なリアルタイムコミュニケーションが可能になった。
【０００４】
電子メール（ｅｌｅｃｔｒｏｎｉｃ ｍａｉｌ）と比較すると、初期のインスタントメッセンジャーは、有線・無線を使ってのインターネット上でオンライン状態のすべての利用者を対象にリアルタイムメッセージ転送が可能であるという利点があったため、多数のユーザーを確保したが、現在のインスタントメッセンジャーは、多数のユーザー間のチャットやリアルタイムメッセージ転送、ファイル転送、音声通話、ビデオ通話などのサービスを提供する統合ＶＯＩＰプラットフォーム（ｐｌａｔｆｏｒｍ）の機能だけでなく、ネットワークコミュニティサービスまでも統合する形態に発展し、ポータル（ｐｏｒｔａｌ）サービスの概念へと漸次拡張しつつある。
【０００５】
ところが、このようなインスタントメッセンジャーの使用環境で広告などの付帯情報を提供する方法は、現在までは、入力される文章または単語からキーワードを抽出し、抽出されたキーワードに対応する広告情報を伝達する方式に止まっている。
【先行技術文献】
【特許文献】
【０００６】
【特許文献１】韓国公開特許第１０−２０１０−００９２７８７号公報
【特許文献２】韓国公開特許第１０−２０１１−００５４１８２号公報
【特許文献３】特開２００４−３４８５９１号公報
【発明の概要】
【発明が解決しようとする課題】
【０００７】
本発明の目的は、インスタントメッセンジャーなどのダイアログボックスにイメージ、動画像、音声ファイルなどのコンテンツが入力または選択によって掲示された場合、その前後に入力された対話内容からキーワード（一つ以上の単語）または関連概念を抽出し、該当コンテンツに関連するメタデータとして設定することができるようにすることにある。
【０００８】
本発明の他の目的は、該当コンテンツ関連メタデータから、当該コンテンツが同じダイアログボックスまたは別のダイアログボックスなどに入力された場合、そのようなメタデータに関連する情報を提供するサービスを可能とすることにある。
【０００９】
本発明の別の目的は、前記メタデータを抽出するにあたり、コンテンツが使用された時点を基準に単語を抽出し、抽出された単語の使用頻度に基づいてキーワードまたは関連概念を抽出することにより、当該コンテンツに関連する情報を正確に提供することができるようにすることにある。
【００１０】
本発明の別の目的は、多数のユーザーの多様な対話状況を反映してメタデータを更新することにより、当該コンテンツに関連する情報を正確に提供することができるようにすることにある。
【００１１】
本発明の別の目的は、メタデータを複数個に設定し、複数個のメタデータそれぞれに関連する広告情報を提供することにより、一つのコンテンツに対するユーザーの様々なニーズ（ｎｅｅｄｓ）を満たすことができる情報提供サービスを可能とすることにある。
【課題を解決するための手段】
【００１２】
本発明の一実施形態に係るコンテンツ対応情報提供装置は、ユーザー端末によって形成された一つ以上のダイアログボックスにコンテンツが掲示されると、前記コンテンツの掲示前または後に入力された一つ以上の文章から単語を抽出するキーワード抽出部と、前記単語関連情報を前記コンテンツのメタデータとして設定するメタデータ設定部と、前記メタデータを前記コンテンツに対応させて格納するデータベースとを含んでなることができる。
【００１３】
本発明の他の実施形態に係るコンテンツ対応情報提供方法は、ユーザー端末によって形成された一つ以上のダイアログボックスにコンテンツが掲示されると、前記コンテンツの掲示前または後に入力された一つ以上の文章から単語を抽出し、前記単語関連情報を前記コンテンツのメタデータとして設定し、前記メタデータを前記コンテンツに対応させて格納することとを含むことができる。
【００１４】
本発明の別の実施形態に係る媒体格納プログラムは、ユーザー端末によって形成された一つ以上のダイアログボックスにコンテンツが掲示されると、前記コンテンツの掲示前または後に入力された一つ以上の文章から単語を抽出し、前記単語関連情報を前記コンテンツのメタデータとして設定し、前記メタデータを前記コンテンツに対応させて格納することを実行させるために媒体に格納されたコンピュータプログラムであることができる。
【発明の効果】
【００１５】
本発明によれば、インスタントメッセンジャーなどのダイアログボックスにイメージ、動画像、音声ファイルなどのコンテンツが入力または選択によって掲示された場合、その前後に入力された対話の内容からキーワード（一つ以上の単語）または関連概念を抽出して、該当コンテンツに関連するメタデータとして活用することが可能となる。
【００１６】
また、本発明によれば、該当コンテンツ関連メタデータから、当該コンテンツが同じダイアログボックスまたは別のダイアログボックスなどに入力された場合、そのようなメタデータに関連する情報を提供するサービスが可能となる。
【００１７】
また、本発明によれば、前記メタデータを抽出するにあたり、コンテンツが使用された時点を基準に単語を抽出し、抽出された単語の使用頻度に基づいてキーワードまたは関連概念を抽出することにより、当該コンテンツに関連する情報を正確に提供することができる。
【００１８】
また、本発明によれば、多数のユーザーの様々な対話の状況を反映してメタデータを更新することにより、当該コンテンツに関連する情報を正確に提供することができる。
【００１９】
また、本発明によれば、メタデータを複数個に設定し、複数個のメタデータそれぞれに関連する広告情報を提供することにより、一つのコンテンツに対するユーザーの様々なニーズを満たすことができる情報提供サービスが可能となる。
【図面の簡単な説明】
【００２０】
【図１】本発明の一実施形態によるコンテンツ対応情報提供システムを説明するための図である。
【図２】本発明の一実施形態によるコンテンツ対応情報提供サーバーの構成を説明するための図である。
【図３】本発明の一実施形態に係るコンテンツ対応キーワードの抽出過程を示す図である。
【図４】本発明の一実施形態に係るコンテンツ対応キーワードの選定において一つの基準になれる使用頻度について説明するための図である。
【図５】本発明の一実施形態によってコンテンツに対応するメタデータを生成する過程を説明するための図である。
【図６】本発明の一実施形態に係るコンテンツ対応情報を提供する方法を説明するための図である。
【図７】本発明の一実施形態に係るコンテンツ対応情報を提供する方法を説明するための図である。
【図８】本発明の一実施形態に係るコンテンツ対応情報を提供する方法を説明するための図である。
【図９】本発明の一実施形態に係るコンテンツ対応情報を提供する方法を説明するための図である。
【図１０】本発明の他の実施形態に係るコンテンツ対応情報を提供する方法を説明するための図である。
【発明を実施するための形態】
【００２１】
本発明で使用される技術用語は、単に特定の実施形態を説明するために使用されたもので、本発明を限定しようとする意図のものではないことに留意すべきである。また、本発明で使用される技術用語は、本発明で特に別の意味で定義されない限り、本発明の属する技術分野における通常の知識を有する者によって一般に理解される意味で解釈されるべきであり、過度に包括的な意味で或いは過度に縮小された意味で解釈されてはならない。また、本発明で使用される技術用語が本発明の思想を正確に表現することができない技術用語である場合は、当該分野における通常の技術者が正しく理解することが可能な技術用語で代替されて理解されるべきである。また、本発明で使用される一般な用語は、辞典に定義されているところに基づいて、または前後の文脈に基づいて解釈されるべきであり、過度に縮小された意味で解釈されてはならない。
【００２２】
また、本発明で使用される単数の表現は、文脈上明らかに別の意味を有しない限り、複数の表現を含む。本発明において、「構成される」または「含む」などの用語は、発明に記載されたいろいろな構成要素、またはいろいろな段階を必ず全て含むものと解釈されてはならず、それらの中の一部の構成要素または一部の段階は含まなくてもよく、または追加の構成要素または段階をさらに含むことができると解釈されるべきである。
【００２３】
また、本発明で使用される第１、第２などのように序数を含む用語は、構成要素を説明するために使用できるが、構成要素は用語によって限定されてはならない。用語は一つの構成要素を他の構成要素から区別する目的のみで使用される。たとえば、本発明の権利範囲を逸脱することなく、第１構成要素は第２構成要素と命名してもよく、同様に第２構成要素も第１構成要素と命名してもよい。
【００２４】
以下、添付図面を参照して本発明に係る実施形態を詳細に説明するが、図面符号に関係なく、同一または類似の構成要素は同一の参照番号を付し、これに対する重複説明は省略する。
【００２５】
また、本発明を説明するにあたり、関連した公知の技術に対する具体的な説明が本発明の要旨を曖昧にするおそれがあると判断される場合、その詳細な説明を省略する。また、添付図面は本発明の技術思想を容易に理解することができるようにするためのものに過ぎず、添付図面によって本発明の技術思想が制限されると解釈されてはならないことに留意すべきである。
【００２６】
本発明で提供される「情報」とは、広告情報であるが、これに限定されるものではなく、ニュース、生活情報、広告などの様々な類型および目的の情報であってもよい。
【００２７】
また、以下の具体的な実施形態の説明においてはインスタントメッセンジャーの場合について重点的に説明しているが、これは単に説明の便宜のためのものであり、本発明は、ダイアログボックスを提供して参加ユーザー間で対話が可能なチャットサービスやＳＮＳサービスなどにも適用が可能である。
【００２８】
図１は、本発明の一実施形態に係るコンテンツ対応情報提供システムを説明するための図である。
【００２９】
図１に示すように、本発明の一実施形態に係るコンテンツ対応情報提供システムは、複数のユーザー端末１００および情報提供サーバー２００を含むことができる。ここで、「端末」および「サーバー」とは、物理的位置および具体的構成とは関係なく、特定の目的のために連動可能なハードウェアおよびソフトウェアの集合体をいう。それぞれの構成要素はネットワークを介して相互接続できる。
【００３０】
第１ユーザー端末１１０および第２ユーザー端末１２０は、情報提供サーバー２００に接続され、ユーザー端末１００間でインスタントメッセンジャーなどが提供するダイアログボックスを介してメッセージを送受信することができ、情報提供サーバー２００が提供する広告などの情報の提供を受けることもできる。
【００３１】
本実施形態では第１ユーザー端末１１０および第２ユーザー端末１２０を例示したが、ユーザー端末１００の個数、およびユーザー端末によって形成されるダイアログボックスの個数および状況は例示されたところに限定されない。複数のユーザー端末１００が使用でき、複数のユーザー端末が一つのダイアログボックスでメッセージを送受信することができ、一つ以上のユーザー端末１００の一つ以上のダイアログボックスでメッセージを送受信することもできるなど、様々な状況が考えられる。
【００３２】
また、ユーザー端末１００は、ダイアログボックスを介してコンテンツを送受信することができる。ユーザー端末１００としては、広告情報を再生または実現することが可能なパーソナルコンピュータ、移動通信端末、スマートフォン、タブレットＰＣ、スマートＴＶ、ＭＰ３プレーヤー、ＰＭＰ、電子手帳などを使用することができる。しかし、本発明のユーザー端末は、これに限定されるものではなく、インスタントメッセンジャープログラムまたはチャットプログラムなどを介して情報提供サーバー２００が提供する広告情報の提供を受けることさえできるものであれば、その形態や種類は制限がない。便宜上、以下の実施形態では、ユーザー端末１００がスマートフォンである場合を例として説明する。
【００３３】
情報提供サーバー２００は、ユーザー端末１００によって形成されたダイアログボックスに所定のコンテンツが入力または選択などの方法により掲示される場合、ダイアログボックスで該当コンテンツが使用された時点を基準に、コンテンツが使用された以前の文章および以後の文章から単語を抽出し、その使用頻度に応じてキーワードを選定し、選定されたキーワードを該当コンテンツのメタデータとして生成して該当コンテンツに対応させて格納し、該当メタデータに関連する広告などの情報をユーザー端末１００へ提供することができる。
【００３４】
情報提供サーバー２００が提供する情報が広告である場合、これは、テキスト広告、イメージ広告、インターネットリンク、動画像広告および商品情報のうちの少なくとも一つを含むものであってもよい。
【００３５】
該当コンテンツに関連する広告情報は、該当コンテンツを使用するユーザー端末１００に提供されることも、或いは指定された特定のユーザーに提供されることもできる。また、該当コンテンツに関連する情報は可変的であってもよい。具体的には、コンテンツに対応するメタデータ、すなわちキーワードが変更される場合、変更されたキーワードに関連する情報を提供することもでき、キーワード変更がなくても、該当時点に最も適した情報を検索または抽出する方式によって提供することもできる。
【００３６】
コンテンツに関連する対話の内容からキーワードを抽出する過程は図３乃至図５を参照して後述する。
【００３７】
図２は、本発明の一実施形態に係るコンテンツ対応情報提供サーバーの構成を説明するための図である。本実施形態に係る情報提供サーバー２００は、キーワード抽出部２１０、メタデータ生成部２２０、データベース２３０、制御部２４０、通信部２５０および情報提供部２６０を含むことができる。
【００３８】
ここで、キーワード抽出部２１０は、ダイアログボックスの設定された所定の範囲の対話から、使用された１つ以上の単語を収集し、例えば、それぞれの単語が使用された頻度を基準として、使用頻度の高い順に上位数個（例えば１から４個）の単語を該当イメージに対するキーワードとして選定することができる。
【００３９】
単語の収集は、コンテンツが使用された時点を基準に以前の幾つかの文章または以後の幾つかの文章で使用された単語から収集される方式で行われ得る。一例として、複数のダイアログボックスで特定のコンテンツが使用された時点を基準に以前の１つの文章および以後の３つの文章で使用された単語を個別的に抽出して単語の使用頻度を合算し、使用頻度の高い上位数個の単語をキーワードとして抽出することができる。
【００４０】
単語を収集し、収集された単語からキーワードを抽出する過程では、一つのダイアログボックスのみを基準に行ってもよく、複数のダイアログボックスで使用された単語を総合してキーワードを抽出してもよい。
【００４１】
本発明の実施形態では、コンテンツがイメージである場合を例として説明したが、これは説明の便宜のためのものに過ぎず、コンテンツは、イメージ以外にも動画像、音楽、音声ファイルなどであってもよく、これらに限定されない。
【００４２】
ダイアログボックスで使用された単語の収集は、キーワード抽出部２１０に格納された単語データベースの照会を介して一致するか否かを確認することにより行われる。
【００４３】
メタデータ生成部２２０は、キーワード抽出部２１０で抽出されたキーワードまたは関連概念を該当イメージのメタデータとして設定する機能を行う。これにより、メタデータが設定されたイメージが、後で同一または別のダイアログボックスで再び使用されると、そのイメージに設定されたメタデータに関連する広告などの情報を提供することができる。ここで、キーワードに関連する概念とはキーワード抽出部（２１０）によって抽出されたキーワードに関連することであり、一例として予め設定されたキーワードとして「子犬」のキーワードが抽出された場合、キーワードに関連する概念は「犬」または「ペット」などが該当する。
【００４４】
データベース２３０はイメージ、およびイメージに対応するメタデータを格納する機能を行う。イメージに関連するキーワードが変更される場合、データベース２３０に格納されるメタデータも変更される。
【００４５】
制御部２４０は、情報提供サーバー２００の内部構成要素の全般的な動作を制御する機能を行い、通信部２５０は、ユーザー端末１００とデータを送受信する機能を行う。通信部２５０は、ＷＬＡＮ（Ｗｉｒｅｌｅｓｓ Ｌｏｃａｌ Ａｒｅａ Ｎｅｔｗｏｒｋ）、ＷｉＦｉ（Ｗｉｒｅｌｅｓｓ Ｆｉｄｅｌｉｔｙ）、ＷｉＭＡＸ（Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ）などの無線アクセス（Ｗｉｒｅｌｅｓｓ Ａｃｃｅｓｓ）または有線アクセス方式を用いてユーザー端末１００と接続できる。
【００４６】
情報提供部２６０は、イメージに対応するメタデータに関連する情報をユーザー端末１００へ提供する。これによる構成は図６乃至図８を参照して詳細に説明する。
【００４７】
図３は、本発明の一実施形態に係るコンテンツに対応する単語を抽出する過程を説明するための図である。図３に示すように、複数のダイアログボックス（ダイアログボックスＡとダイアログボックスＢ）で同じイメージ１０が使用されたこと、およびイメージを基準に前後の文章で複数の単語が使用されたことを理解することができる。
【００４８】
ダイアログボックスＡからは「子犬」、「可愛く」、「可愛い」および「マルチーズ」の単語が抽出され、ダイアログボックスＢからは「子犬」、「布団」、「可愛い」、「お金布団」および「心」などの単語が抽出された。
【００４９】
説明のために、「可愛い」という単語をａに、「子犬」という単語をｂに、「布団」という単語をｃに、「マルチーズ」という単語をｄにそれぞれ設定した。図面では４つの単語が示されているが、抽出される単語の数は変更でき、例示に限定されるものではない。
【００５０】
ダイアログボックスＡ、ダイアログボックスＢは、イメージが使用された時点を基準に以前の一つの文章および以後の二つの文章で使用された単語を抽出したが、これは設定に応じて変更できる。たとえば、イメージが使用された時点を基準に以前の一つの文章および以後の一つの文章で使用された単語を抽出することができ、イメージが使用された時点を基準に以後の二つの文章または三つの文章で使用された単語を抽出することもできる。
【００５１】
または、イメージが使用された時点を基準に定められた時間以内に使用された文章で使用された単語を抽出することもできる。たとえば、特定のイメージが使用された時点を基準に以後１分以内にダイアログボックスに入力された文章で使用された単語を抽出することもできる。
【００５２】
それだけでなく、コンテンツの掲示位置を基準としてその以前または以後の設定された位置範囲内で入力された一つ以上の文章から前記単語を抽出する方法が使用されることもある。
【００５３】
図４は、本発明の一実施形態に係るコンテンツ対応キーワードの選定において基準になれる単語の使用頻度を説明するための図である。図３から抽出された単語は、ダイアログボックスの性格に応じて、個人の性向によってバラツキがありうるので、一般に最も多く抽出される単語に基づいてキーワードを選定する過程を介して、より正確なキーワードの決定が可能である。
【００５４】
図４に示すように、複数のダイアログボックスから１つのイメージに対して使用される単語を抽出し、抽出された単語の使用頻度を算定する。具体的には、図３のダイアログボックスボックスＡからは「子犬」、「可愛い」、「マルチーズ」という単語が抽出され、図３のダイアログボックスボックスＢからは「子犬」、「布団」、「可愛い」、「お金布団」および「心」という単語が抽出された。
【００５５】
図４では、ｂの出現頻度が２１９と一番多く、「子犬」という単語が最も多く使用され、その次にａの「可愛い」という単語が多く使用された。このように同じイメージを使用するダイアログボックスが多くなるにつれて、抽出される単語の使用頻度にさらに正確性を期すことができるが、例えば、各単語の使用頻度を合算して、使用頻度の高い順に上位数個の単語を該当イメージのキーワードとして抽出するようにすることもできる。
【００５６】
使用頻度の高い順に上位数個の単語を該当イメージのキーワードとして抽出する過程で、キーワードは変更できる。すなわち、同じイメージに対して抽出される単語の使用頻度を合算した順位が時間に応じて変更できる。
【００５７】
上述のように、複数のダイアログボックスボックスから使用された単語を抽出することにより、イメージがダイアログボックスに使用されたときに使用されたイメージと一般に関連度の高い単語を抽出し、これを活用してメタデータを生成するので、より信頼性の高いキーワードの抽出および情報の提供が可能となるという効果がある。
【００５８】
図５は、本発明の一実施形態に係るコンテンツ対応メタデータを生成する過程を説明するための図である。
【００５９】
例えば、Ｓ１１０の段階で、１つ以上のダイアログボックスでイメージが共有されている場合、共有時点を基準に予め定められた範囲内で文章に使用された単語を抽出する。単語を抽出する過程は、前記文章に含まれている単語がキーワード抽出部に収録または連動されたデータベースの単語リスト照会、および一致か否かの確認などによって行われ得る。
【００６０】
次に、一つ以上のダイアログボックスから抽出されたそれぞれの単語に対して使用頻度を集計（例えば、合算）し（Ｓ１２０）、抽出された単語のうち、使用頻度の高い順に、例えば上位ｎ個をキーワードとして決定することができる（Ｓ１３０）。
【００６１】
その後、前記キーワードをイメージにタグ付けしてメタデータを生成する（Ｓ１４０）。
【００６２】
図６乃至図９は、本発明の一実施形態によってコンテンツに対応する広告を提供する方法を説明するための図である。
【００６３】
図５の過程を介してメタデータが格納されたイメージが以後の同じダイアログボックスまたは別のダイアログボックスで使用される場合、イメージをクリックまたはタブなどの適切な指示手段を介して指示すると、特定の位置、例えば、イメージの下端に、メタデータが設定されたイメージに関連する詳細表示レイヤーまたはメニューが表示できる。
【００６４】
イメージを指示してイメージ関連の所定の情報が提供される前述の方法は、ダイアログボックスで行うことができるが、これに限定されず、別途のウィンドウの提供など様々な方式によって行うこともできる。該当イメージがユーザー端末１００に格納されている場合ならば、敢えてダイアログボックスに該当イメージが掲示された場合でなくても、格納された該当イメージを指示すると、関連情報が提供されるようにすることもできる。
【００６５】
イメージに関連する詳細表示レイヤーは、イメージの「保存」、「共有」、「削除」、「推薦いただく」などのメニューを含むことができる。ここで、「推薦いただく」メニュー３０を選択すると、メタデータとして格納された該当イメージのキーワードが画面に提示され、ユーザーは、提示された複数のキーワードの中から、関連情報を所望する特定のキーワードを選択し、これに関連する情報を選択的に受信することもできる。
【００６６】
例えば、図６に「推薦いただく」メニュー３０を選択すると、図７に示すように、キーワードとして「ジーンズ」、「男性下衣」、「靴」および「上衣」のキーワード選択メニュー４０が提示でき、ユーザーが特定のキーワードを選択すると、これに関連する広告情報が提供できる。ここで、キーワード選択メニュー４０に示されるキーワードは、該当イメージに対して図５の過程によって抽出されたキーワードである。
【００６７】
また、キーワード選択メニュー４０からユーザーが特定のキーワードを選択すると、図８に示すように、選択したイメージに関連する広告情報メニュー５０として、類似イメージメニュー５１、関連商品メニュー５２および関連サイトメニュー５３が提供できる。広告情報メニューは、図７のキーワード選択メニュー４０のそれぞれに対して提供できる。したがって、例えば、キーワード選択メニュー４０から「ジーンズ」が選択された場合、図８の広告情報メニュー５０には、「ジーンズ」に関連する類似イメージメニュー５１、関連商品メニュー５２および関連サイトメニュー５３が提供され、キーワード選択メニュー４０から「男性下衣」が選択された場合、図８の広告情報メニュー５０には、「男性下衣」に関連する類似イメージメニュー５１、関連商品メニュー５２および関連サイトメニュー５３が提供される。
【００６８】
一例として、図８の広告情報メニュー５０から特定のメニューを選択すると、図９に示すように、類似イメージ、関連商品および関連サイトが提供されるようにすることもできる。
【００６９】
ここで、類似イメージメニュー５１は、広告提供部２６０によって、予め定められた関連イメージを提供することをいい、その場合、複数のイメージが提供されることもあり、特定のイメージを選択すると、図６と同様に「推薦いただく」メニュー３０が提示されるか、或いは選択したイメージに示されている商品を販売するページに直ちに接続されることもできる。
【００７０】
関連商品メニュー５２は、イメージに示された商品を販売するページに接続されるもので、必要なオプションを設定して商品を購入することができる。
【００７１】
関連サイトメニュー５３は、イメージに示された商品または類似の関連商品を販売する１つ以上のインターネットサイトに関する接続経路を提供するもので、所望のサイトを選択して広告情報の提供を受けることができる。
【００７２】
情報提供サーバー２００は、指定された広告を介して商品を購入した場合、該当ユーザー端末１００に対して所定のポイントを積み立てるようにすることができる。
【００７３】
また、第１ユーザー端末１１０がイメージを格納し、これを別のチャットルームにアップロードする場合は、別のチャットルームにあるユーザー端末１００が該当イメージを指示すると、図６に示すように該当情報に対する「推薦いただく」メニューが表示され得る。
【００７４】
図１０は、本発明の他の実施形態によるコンテンツ対応情報を提供する方法を説明するための図である。イメージ１０を選択すると、メタデータに関連する商品イメージ１１、１２をレイヤーと一緒に受信するＵＸ（ｕｓｅｒ ｅｘｐｅｒｉｅｎｃｅ）の形で実行されることも可能である。関連商品イメージ１１、１２は、複数であってもよく、ユーザーが特定の商品イメージを選択すると、「推薦いただく」メニュー（図示せず）が提示されるか、或いは選択したイメージに示されている商品を販売するページに直ちに接続されることもできる。
【００７５】
このように、ユーザー端末メッセンジャーサービスを利用して、チャット中のダイアログボックスにイメージが表示され、前記イメージの選択を介して有用な情報を提供することができるうえ、端末ユーザーに興味を誘発することもできるようになる。
【００７６】
以上説明した本発明に係る実施形態は、様々なコンピュータの構成要素を介して実行できるプログラム命令の形で実現され、コンピュータ可読記録媒体に記録できる。前記コンピュータ可読記録媒体は、プログラム命令、データファイル、データ構造などを単独でまたは組み合わせて含むことができる。前記コンピュータ可読記録媒体に記録されるプログラム命令は、本発明のために特別に設計および構成されたものであるか、或いはコンピュータソフトウェア分野の通常の技術者に公知されて使用可能なものである。コンピュータ可読記録媒体の例には、ハードディスク、フロッピーディスク（登録商標）および磁気テープなどの磁気媒体、ＣＤ−ＲＯＭおよびＤＶＤなどの光記録媒体、フロプティカルディスク（ｆｌｏｐｔｉｃａｌ ｄｉｓｋ）などの光磁気記録媒体（ｍａｇｎｅｔｏ−ｏｐｔｉｃａｌ ｍｅｄｉｕｍ）、並びにＲＯＭ、ＲＡＭ、フラッシュメモリなどの、プログラム命令を格納して実行するように特別に構成されたハードウェア装置が含まれる。プログラム命令の例には、コンパイラによって作られるもののような機械語コードだけでなく、インタープリターなどを用いてコンピュータによって実行できる高級言語コードも含まれる。ハードウェア装置は、本発明に係る処理を行うために、一つ以上のソフトウェアモジュールに変更でき、その逆も同様である。
【００７７】
本発明で説明する特定の実行は、一実施例であって、どんな方法でも本発明の範囲を限定するのではない。明細書の簡潔さのために、従来の電子的な構成、制御システム、ソフトウェア、前記システムの他の機能的な側面の記載は省略できる。また、図示された構成要素間の線の連結または連結部材は、機能的連結および／または物理的または回路的連結を例示的に示したものであって、実際の装置では代替可能か追加の様々な機能的連結、物理的連結または回路連結として具現化できる。また、「必須的な」、「重要に」などのように具体的な言及がなければ、本発明の適用のための必須構成要素ではない可能性がある。
【００７８】
本発明の明細書（特に、特許請求の範囲で）で「前記」の用語およびこれに類似した指示用語の使用は、単数および複数の両方ともに該当するものでありうる。また、本発明で範囲（ｒａｎｇｅ）を記載した場合、前記範囲に属する個別的な値を適用した発明を含むものであって（これに反する記載がなければ）、発明の詳細な説明に前記範囲を構成する各個別的な値を記載したのと同様である。最後に、本発明に係る方法を構成する段階について明白に順序を記載するか反する記載がなければ、前記段階は適当な順序で行われ得る。必ずしも前記段階の記載順序によって本発明が限定されるのではない。本明細書において、全ての例または例示的な用語（例えば、など）の使用は単に本発明を詳細に説明するためのものであって、特許請求の範囲によって限定されない限り、前記例または例示的な用語により本発明の範囲が限定されるのではない。また、通常の技術者は様々な修正、組み合わせおよび変更が加えられた特許請求の範囲またはその均等物の範疇内で設計条件および要素に応じて構成できることを理解することができる。
【符号の説明】
【００７９】
１００    ユーザー端末
２００    情報提供サーバー
２１０    キーワード抽出部
２２０    メタデータ生成部
２３０    データベース
２４０    制御部
２５０    通信部
２６０    情報提供部
【図１】
2016091538.tif 000003
【図２】
2016091538.tif 000004
【図３】
2016091538.tif 000005
【図４】
2016091538.tif 000006
【図５】
2016091538.tif 000007
【図６】
2016091538.tif 000008
【図７】
2016091538.tif 000009
【図８】
2016091538.tif 000010
【図９】
2016091538.tif 000011
【図１０】
2016091538.tif 000012